(57)【要約】      （修正有）【課題】作業車を建物の基礎で囲まれた範囲に進入させることができるとともに、工期短縮を図ることができる基礎構造及び基礎構造の施工方法を提供する。【解決手段】基礎構造１０は、建物１００の基礎構造１０であって、上端３ｕが地面から所定寸法の高さ位置に配置された第一基礎部３と、第一基礎部３と連続して設けられるとともに、上端４ｕが第一基礎部３の上端３ｕよりも低い高さ位置に配置された第二基礎部４と、第二基礎部４の上方に設けられた乾式の基礎梁６と、基礎梁６における建物１００の外周側に配置されたパネル材と、を備えることを特徴とする。【選択図】図５
2019132072.tif 000002
【特許請求の範囲】
【請求項１】
建物の基礎構造であって、
上端が地面から所定寸法の高さ位置に配置された第一基礎部と、
該第一基礎部と連続して設けられるとともに、上端が前記第一基礎部の上端よりも低い高さ位置に配置された第二基礎部と、
該第二基礎部の上方に設けられた乾式の基礎梁と、
前記基礎梁における前記建物の外周側に配置されたパネル材と、
を備えることを特徴とする基礎構造。
【請求項２】
前記パネル材は、前記基礎梁に固定されていることを特徴とする請求項１に記載の基礎構造。
【請求項３】
前記基礎梁は、前記第二基礎部の上方に隙間を有して配置されていることを特徴とする請求項１または２に記載の基礎構造。
【請求項４】
前記第一基礎部は、前記第二基礎部から立設して設けられ、前記基礎梁に隣接配置された立設基礎部を備え、
前記基礎梁は、前記立設基礎部の上面に固定されていることを特徴とする請求項１から３のいずれか一項に記載の基礎構造。
【請求項５】
前記第一基礎部及び前記第二基礎部は、鉄筋コンクリート造で一体として構成されていることを特徴とする請求項１から４のいずれか一項に記載の基礎構造。
【請求項６】
建物の基礎構造の施工方法であって、
上端が地面から所定寸法の高さ位置に配置されるように第一基礎部を構築する第一基礎部構築工程と、
第二基礎部の上端が前記第一基礎部の上端よりも低い高さ位置に配置されるように、前記第二基礎部を、前記第一基礎部と連続して構築する第二基礎部構築工程と、
作業車が、前記第二基礎部上を通過して、前記第一基礎部及び前記第二基礎部で囲まれた範囲に進入して、所定の建築作業を行う作業車進入作業工程と、
前記作業車が、前記第二基礎部上を通過して、前記第一基礎部及び前記第二基礎部で囲まれた範囲外に退出する作業車退出工程と、
前記第二基礎部の上方に、乾式の基礎梁を構築する基礎梁構築工程と、
前記基礎梁における前記建物の外周側にパネル材を設置するパネル材設置工程と、を備えることを特徴とする基礎構造の施工方法。
【発明の詳細な説明】
【技術分野】
【０００１】
本発明は、基礎構造及び基礎構造の施工方法に関するものである。
【背景技術】
【０００２】
従来から、鉄骨造建物等の施工現場では、ラフテレーンクレーンやトラッククレーン等の移動式クレーン車を利用して、鉄骨や外壁パネル、床パネル等の建築部材をトラックから運搬して構築中の建物へ取付け作業をしたり、敷地等に積み下ろし作業をしたりすることがある。
【０００３】
しかし、敷地が狭小な場合には、敷地内に移動式クレーン車等の作業車を配置するスペースを確保できなかった。また、敷地の奥行き（隣接する道路からの離間する方向の長さ）が長い場合には、移動式クレーン車等の作業車のアームが敷地の奥の方まで届かず、作業車を利用して建築部材を運搬できなかった。
【０００４】
そこで、基礎の一部の高さを低く構築して、作業車が低い基礎上を通過可能としたものが提案されている（下記の特許文献１参照）。具体的には、通常の高さで構築された普通基礎及び地盤面と同一高さで構成された埋没基礎を構築して、作業車が埋没基礎を通過して敷地内において建物の基礎（普通基礎及び埋没基礎）で囲まれた範囲に進入する。そして、建築部材の建物への取付けや積み下ろし等の建築作業を行った後、作業車が埋没基礎を通過して建物の基礎で囲まれた範囲外に退出して、埋没基礎の上方に普通基礎と同一高さとなるように追加立上り部（基礎の追加部分）を構築する。この追加立上り部は、予め挿し筋を設けておき、所定の配筋を行った後に、型枠を組み立て、コンクリートを打設して、養生して、型枠をばらして構築されている。あるいは、予め挿し筋を設けておく代わりに、埋没基礎に後付アンカーを埋設するために穿孔して、この孔に後付けアンカー及び定着筋を差し込む方法もある。
【先行技術文献】
【特許文献】
【０００５】
【特許文献１】特開２０１３−９６１１７号公報
【発明の概要】
【発明が解決しようとする課題】
【０００６】
しかしながら、上記の特許文献１に記載の施工方法では、基礎を施工する作業員（基礎工）は、普通基礎及び埋没基礎を施工した後は暫く作業がなく、追加立上り部を施工する際に再度施工現場に来て作業をする必要があり、効率的でないという問題点がある。さらに、追加立上り部を施工する際には、配筋を設けて、型枠を組み立て、コンクリートを打設して、養生、型枠をばらす等の現場作業が生じ、作業に時間を要するという問題点がある。
【０００７】
本発明は、上記事情に鑑みてなされたものであり、作業車を建物の基礎で囲まれた範囲に進入させることができるとともに、工期短縮を図ることができる基礎構造及び基礎構造の施工方法を提供するものである。
【課題を解決するための手段】
【０００８】
上記目的を達成するために、本発明は以下の手段を採用している。
すなわち、本発明に係る基礎構造は、建物の基礎構造であって、上端が地面から所定寸法の高さ位置に配置された第一基礎部と、該第一基礎部と連続して設けられるとともに、上端が前記第一基礎部の上端よりも低い高さ位置に配置された第二基礎部と、該第二基礎部の上方に設けられた乾式の基礎梁と、前記基礎梁における前記建物の外周側に配置されたパネル材と、を備えることを特徴とする。
【０００９】
このように構成された基礎構造では、第二基礎部の上端は第一基礎部の上端よりも低い。よって、第二基礎部の高さを地面と略同一の高さや地面よりも少し高い高さとすれば、作業車を第二基礎部上を通過させて第一基礎部や第二基礎部等の基礎で囲まれた範囲に進入させることができる。
また、建物の基礎で囲まれた範囲で作業車を利用して建築作業を行った後は、作業車を基礎で囲まれた範囲外に退出させて、第二基礎部の上方に基礎梁を設けて、パネル材を設置すれば、建物を支持する基礎構造ができる。基礎梁は乾式であるため、コンクリートを打設するような湿式と比較して工期を短縮することができる。乾式とは、工場生産された部材を建築現場で組み立てる際に、コンクリート工事のように水を混合した材料を使った施工を排除して、乾燥や硬化を必要とせずに組み立てることを言う。
また、パネル材が基礎梁における建物の外周側に設置され、基礎梁の露出が抑制される。よって、基礎梁の露出を抑制したり保護したりするための部材（パネル材）を、短期間で設置することができる。
【００１０】
また、本発明に係る基礎構造では、前記パネル材は、前記基礎梁に固定されていてもよい。
【００１１】
このように構成された基礎構造では、パネル材を乾式の基礎梁に固定すればパネル材が設置されるため、パネル材を短期間且つ容易に設置することができる。
【００１２】
また、本発明に係る基礎構造では、前記基礎梁は、前記第二基礎部の上方に隙間を有して配置されていてもよい。
【００１３】
このように構成された基礎構造では、基礎梁は、第二基礎部の上方に隙間を有して配置されている。よって、第二基礎部の上端に不陸があったとしても、当該不陸の影響を受ける（第二基礎部の上端をモルタル等でレベル調整等する）ことなく基礎梁を設置できるため、施工手間を削減することができる。
【００１４】
また、本発明に係る基礎構造では、前記第一基礎部は、前記第二基礎部から立設して設けられ、前記基礎梁に隣接配置された立設基礎部を備え、前記基礎梁は、前記立設基礎部の上面に固定されていてもよい。
【００１５】
このように構成された基礎構造では、第二基礎部から立設して設けられ基礎梁に隣接配置された立設基礎部の上面に、基礎梁の端部を固定すればよいため、基礎梁を短期間且つ容易に設置することができる。
【００１６】
また、本発明に係る基礎構造では、前記第一基礎部及び前記第二基礎部は、鉄筋コンクリート造で一体として構成されていてもよい。
【００１７】
このように構成された基礎構造では、第一基礎部及び第二基礎部は鉄筋コンクリート造で一体として構成されている。よって、第一基礎部及び第二基礎部の配筋、型枠組み立て、コンクリート打設等の施工を同時にできるため、第一基礎部及び第二基礎部を別々に施工するよりも、施工手間が削減される。
【００１８】
また、本発明に係る基礎構造の施工方法は、建物の基礎構造の施工方法であって、上端が地面から所定寸法の高さ位置に配置されるように第一基礎部を構築する第一基礎部構築工程と、第二基礎部の上端が前記第一基礎部の上端よりも低い高さ位置に配置されるように、前記第二基礎部を、前記第一基礎部と連続して構築する第二基礎部構築工程と、作業車が、前記第二基礎部上を通過して、前記第一基礎部及び前記第二基礎部で囲まれた範囲に進入して、所定の建築作業を行う作業車進入作業工程と、前記作業車が、前記第二基礎部上を通過して、前記第一基礎部及び前記第二基礎部で囲まれた範囲外に退出する作業車退出工程と、前記第二基礎部の上方に、乾式の基礎梁を構築する基礎梁構築工程と、前記基礎梁における前記建物の外周側にパネル材を設置するパネル材設置工程と、を備えることを特徴とする。
【００１９】
このように構成された基礎構造の施工方法では、第二基礎部の上端は第一基礎部の上端よりも低い。よって、第二基礎部構築工程で、第二基礎部の高さを地面と略同一の高さや地面よりも少し高い高さとなるようにすれば、作業車進入作業工程で、作業車を第二基礎部上を通過させて第一基礎部及び第二基礎部で囲まれた範囲に進入させることができる。
また、第一基礎部及び第二基礎部で囲まれた範囲で作業車を利用して建築作業を行った後は、作業車退出工程で作業車を第一基礎部及び第二基礎部で囲まれた範囲外に退出させて、基礎梁構築工程で第二基礎部の上方に基礎梁を設けて、パネル材設置工程で基礎梁における建物の外周側にパネル材を設置して、建物を支持する基礎構造ができる。基礎梁及びパネル材は乾式であるため、コンクリートを打設するような湿式と比較して工期を短縮することができる。
また、パネル材が基礎梁における建物の外周側に設置され、基礎梁の露出が抑制される。よって、基礎梁の露出を抑制したり保護したりするための部材（パネル材）を、短期間で設置することができる。
【発明の効果】
【００２０】
本発明に係る基礎構造及び基礎構造の施工方法によれば、作業車を建物の基礎で囲まれた範囲に進入させることができるとともに、工期短縮を図ることができる。
【図面の簡単な説明】
【００２１】
【図１】本発明の一実施形態に係る基礎構造の平面図である。
【図２】本発明の一実施形態に係る基礎構造を備えた建物の下部を示す正面図であり、図１のＡ矢視図である。
【図３】本発明の一実施形態に係る基礎構造を示す平面図である。
【図４】本発明の一実施形態に係る基礎構造を備えた建物の下部を示す断面図であり、図１のＢ−Ｂ線断面図である。
【図５】本発明の一実施形態に係る基礎構造を備えた建物の下部を示す図であって、パネル材を取り外した状態を示す。
【発明を実施するための形態】
【００２２】
以下、本発明の一実施形態に係る基礎構造を備えた建物について、図面を参照して説明する。
図１は、本発明の一実施形態に係る基礎構造の平面図である。図２は、本発明の一実施形態に係る基礎構造を備えた建物の下部を示す正面図であり、図１のＡ矢視図である。図３は、本発明の一実施形態に係る基礎構造を示す平面図である。
図２に示すように、建物１００（図２参照）は、下部構造体１と、下部構造体１に支持され上部構造体２と、を備えている。図１に示すように、建物１００（図２参照）が建築される敷地Ｔは、道路Ｄに面して配置されている。
【００２３】
まず、下部構造体１について説明する。
下部構造体１は、高基礎部（第一基礎部）３と、低基礎部（第二基礎部）４と、増し打ち部（第一基礎部、立設基礎部）５と、基礎梁６と、パネル材７と、連続基礎部（第一基礎部）８と、を備えている。
【００２４】
図３に示すように、高基礎部３は、後述する柱４０が設置される下方に設けられている。高基礎部３は、平面視矩形状に形成されている。図１に示すように、高基礎部３は、道路Ｄの延在方向に沿うＸ方向及びＸ方向と直交するＹ方向に、間隔を有して配置されている。
【００２５】
本実施形態では、高基礎部３は、鉄筋コンクリート造で構成されている。図２に示すように、高基礎部３の高さ（地面Ｇから上面３ｕまでの高さ）Ｈ１は、約２５０ｍｍであるが、当該数値は一例であり限定されるものではない。
【００２６】
図１に示すように、高基礎部３は、Ｘ方向に３列（Ｘ１，Ｘ２，Ｘ３）及びＹ方向に３列（Ｙ１，Ｙ２，Ｙ３）なすように配置されているが、Ｘ方向の一方側の列（道路Ｄから見て左側の列）Ｘ１且つＹ方向の一方側の列（道路Ｄに最も近い列）Ｙ１の交差する箇所には設けられていない。
【００２７】
複数の高基礎部３のうち、道路Ｄに最も近い列Ｙ１に配置された高基礎部３どうしは、低基礎部４及び増し打ち部５で連結されている。図２に示すように、低基礎部４の高さ（地面Ｇから上面４ｕまでの高さ）Ｈ２は、高基礎部３の高さＨ１よりも低い。
【００２８】
本実施形態では、低基礎部４の高さＨ２は、地面Ｇから約０〜１００ｍｍであるが、当該数値は一例であり限定されるものではない。低基礎部４は、鉄筋コンクリート造で構成されている。
【００２９】
増し打ち部５は、高基礎部３に隣接して、低基礎部４の上面４ｕから立設するように設けられている。増し打ち部５は、高基礎部３と基礎梁６との間に配置されている。増し打ち部５の上面５ｕの地面Ｇからの高さＨＡは、高基礎部３の高さＨ１よりも高い。
【００３０】
高基礎部３、低基礎部４及び増し打ち部５は、施工現場でコンクリートが打設されることで一体として構成されている。本実施形態では、高基礎部３、低基礎部４及び増し打ち部５は、鉄筋コンクリート造で一体として形成されている。
【００３１】
図４は、建物１００の下部を示す断面図であり、図１のＢ−Ｂ線断面図である。図５は、建物１００の下部を示す図であって、パネル材７を取り外した状態を示す。
図４及び図５に示すように、基礎梁６は、低基礎部４の上方に配置されている。基礎梁６は、低基礎部４の延在方向に沿って延びている。基礎梁６は、増し打ち部５間に配置されている（図１参照）。基礎梁６及び後述するパネル材７は、作業車Ｃ（図１参照。以下同じ。）が低基礎部４上を通過して退出した後に、低基礎部４の上方に設置されるものである。
【００３２】
本実施形態では、基礎梁６は、鉄骨のＨ形鋼で構成されているが、乾式のものであれば他形状の鉄骨梁や鉄骨以外の材質も適宜選択可能である。例えば、プレキャストコンクリート、軽量で強度のあるＦＲＰ等の樹脂、構造用のエンジニアリングウッド等を用いても良い。また、基礎梁６の長さは、作業車Ｃが通過する有効巾を確保するため、約２ｍ〜４ｍとされているが、構造計画、建物配置計画、前面道路Ｄとの関係等に応じて適宜設定可能である。
【００３３】
基礎梁６は、上下方向に離間して配置された一対のフランジ１１，１２と、一対のフランジ１１，１２どうしを連結するウェブ１３と、を有している。フランジ１１は、フランジ１２の上方に配置されている。
【００３４】
図５に示すように、基礎梁６の延在方向の端部には、基礎梁用アングル材１５が設けられている。基礎梁用アングル材１５は、接合面部１６と、上面部１７と、を有している。
【００３５】
接合面部１６は、板状に形成され、板厚方向を基礎梁６の延在方向に向けて配置されている。接合面部１６は、ウェブ１３の側面に溶接等により固定されている。
【００３６】
上面部１７は、板状に形成され、板厚方向を上下方向に向けて配置されている。上面部１７は、接合面部１６の上端部から基礎梁６側と反対側に延びている。
【００３７】
上面部１７は、増し打ち部５の上面５ｕにアンカーボルト等の締結部材１８で固定されている。換言すると、基礎梁６は、増し打ち部５に支持されている。
【００３８】
上面部１７の上面１７ｕは、基礎梁６の上面（フランジ１１の上面）６ｕと同一平面上に配置されている。換言すると、基礎梁６の上面６ｕの地面Ｇからの高さＨ３は、増し打ち部５の上面５ｕの地面Ｇからの高さＨＡと略同一であり、詳細には増し打ち部５の高さＨＡよりも基礎梁用アングル材１５の上面部１７の厚さ分高い。
【００３９】
基礎梁６のフランジ１２の下端面６ｄと低基礎部４の上面４ｕとの間には、上下方向に隙間Ｓが形成されている。換言すれば、基礎梁６は、フランジ１２の下端面６ｄが低基礎部４の上面４ｕから離間した状態で配置されている。隙間Ｓは、基礎梁６の延在方向にわたって形成されている。本実施形態では、隙間Ｓの高さは、５ｍｍ以上〜５０ｍｍ以下とされている。隙間Ｓの高さが５ｍｍ未満だと、低基礎部４の上面４ｕに不陸がある場合等に、基礎梁６が低基礎部４と干渉して納まらなくなる懸念がある。また、隙間Ｓの高さが５０ｍｍを超えると、基礎梁６の高さが小さくなり基礎梁６の強度を確保しにくい場合がある。
【００４０】
図４に示すように、基礎梁６における建物１００の外周側には、ＰＣ板等のパネル材７が複数設けられている。パネル材７は、低基礎部４の上方に配置されている。パネル材７は、板厚方向を基礎梁６の延在方向と直交する水平方向（以下、基礎梁６の幅方向と称する。）に向けて配置されている。パネル材７の上面７ｕは、フランジ１１の上面６ｕと同一平面上に配置されている。
【００４１】
図２に示すように、複数のパネル材７は、基礎梁６（図５参照。以下同じ。）の延在方向に沿って隙間を有して隣接配置されている。パネル材７は、低基礎部４の上面４ｕと隙間を有して配置されている。
【００４２】
隣接するパネル材７間の隙間、パネル材７と増し打ち部５との間の隙間、及びパネル材７と低基礎部４との間の隙間には、それぞれシーリング材等の充填材２１が設けられている。これにより、これらの隙間から建物１００内部へ雨水等が浸入することが抑制されている。なお、本実施形態では、図４に示すように、基礎梁６と低基礎部４との隙間Ｓには、充填材は充填されていない。なお、基礎梁６と低基礎部４との隙間Ｓに、例えば断熱性や止水性等の機能を有する部材（不図示）を設けても良い。
【００４３】
パネル材７の表面（基礎梁６側と反対側の面）７ｆの下部には、樹脂モルタル等の充填材２２が設けられている。充填材２２の表面２２ｆは、下方に向かうにしたがって次第に建物１００の外周側に向かうように傾斜面（水勾配）が形成されている。これにより、雨水は充填材２２の傾斜する表面２２ｆに沿って流れ、雨水がパネル材７の下部から建物１００内部へ浸入することが抑制されている。
【００４４】
基礎梁６のフランジ１１の下面には、上部アングル材３０が設けられている。上部アングル材３０は、上面部３１と、下向き面部３２と、を有している。
【００４５】
上面部３１は、板状に形成され、板厚方向を上下方向に向けて配置されている。上面部３１は、基礎梁６のフランジ１１の下面にボルト等の締結部材３４で固定されている。
【００４６】
下向き面部３２は、板状に形成され、板厚方向を基礎梁６の幅方向に向けて配置されている。
【００４７】
基礎梁６のフランジ１２の上面には、下部アングル材３５が設けられている。下部アングル材３５は、下面部３６と、上向き面部３７と、を有している。
【００４８】
下面部３６は、板状に形成され、板厚方向を上下方向に向けて配置されている。下面部３６は、基礎梁６のフランジ１２の上面にボルト等の締結部材３９で固定されている。
【００４９】
上向き面部３７は、板状に形成され、板厚方向を基礎梁６の幅方向に向けて配置されている。
【００５０】
パネル材７の７ｆ表面から挿通された螺子等の締結部材７１は、上部アングル材３０の下向き面部３２及び下部アングル材３５の上向き面部３７にそれぞれ締結されている。これにより、パネル材７は、基礎梁６に固定されている。
【００５１】
図１に示すように、上記の高基礎部３と、低基礎部４と、増し打ち部５と、基礎梁６と、パネル材７と、を備えた基礎構造１０は、道路Ｄ側に設けられている。なお、基礎構造１０の設置位置や範囲は、作業車Ｃが建物１００の基礎（高基礎部３、低基礎部４、増し打ち部５及び連続基礎部８）で囲まれた範囲内に進入しやすい経路を考慮して計画されている。
【００５２】
本実施形態では、敷地Ｔが道路Ｄから遠い側（列Ｙ３側）且つＸ方向の一方側（道路Ｄから見て左側）の（列Ｘ１側）が突出した形状をなし、高基礎部３の配列は敷地Ｔに対応している。このため、特に、敷地Ｔ内に作用車Ｃを配置できず道路Ｄに作業車Ｃを配置した場合等は、列Ｙ３且つ列Ｘ１側に作業車Ｃのアーム（不図示）が届きにくい。そのため、道路Ｄ沿いに低基礎部４を設けて、作業車Ｃに低基礎部４を通過させ、列Ｙ３且つ列Ｘ１側に近づくよう作業車Ｃを配置する。また、道路Ｄ沿いの高基礎部３（列Ｙ１の高基礎部３）間のうち、列Ｘ１側寄り（道路Ｄから見て左側寄り）に、低基礎部４が配置されることが好ましい。そうすることで、作業車Ｃが、道路Ｄ側から低基礎部４を通過した後に直進すれば、作業車Ｃを切り返すことなく、作業車Ｃを列Ｙ３且つ列Ｘ１側に近づけて配置できる。
【００５３】
隣り合う高基礎部３間のうち列Ｙ１の高基礎部３間以外の箇所には、高基礎部３どうしが連続基礎部８で連結されている。連続基礎部８の高さは、基礎梁６の上面６ｕの地面Ｇからの高さＨ３と同じであり、高基礎部３の高さＨ１及び増し打ち部５の高さＨＡ（図２参照。以下同じ。）よりも高い。連続基礎部８及び高基礎部３は、鉄筋コンクリート造で一体として形成されている。
【００５４】
本実施形態では、高基礎部３、低基礎部４、増し打ち部５及び連続基礎部８で囲まれた範囲（内部）には、コンクリートＥが打設されている。なお、必ずしもコンクリートＥを打設しなくてもよい。
【００５５】
低基礎部４、高基礎部３、増し打ち部５及びパネル材７の表面は、保護用の塗料（不図示）で塗装されている。
【００５６】
次に、上部構造体２の構成について説明する。本実施形態では、上部構造体２は、鉄骨ラーメン造のいわゆる工業化住宅である。図５に示すように、上部構造体２は、柱４０と、外壁パネル材４１と、床材パネル４２と、屋根等のその他の構造部（不図示）と、を有している。
【００５７】
柱４０は、高基礎部３に設けられたアンカーボルト等の締結部材４６で接合されて、高基礎部３に固定されている。
【００５８】
図４に示すように、基礎梁６のフランジ１１の上面６ｕには、外壁用アングル材５０が設けられている。外壁用アングル材５０は、上面部５１と、上向き面部５２と、を有している。
【００５９】
上面部５１は、板状に形成され、板厚方向を上下方向に向けて配置されている。上面部５１は、基礎梁６のフランジ１１の上面６ｕにボルト等の締結部材（不図示）で固定されている。
【００６０】
上面部５１における建物１００の外周側の端部５１ｄは、下向きに傾斜している。
【００６１】
上向き面部５２は、板状に形成され、板厚方向を基礎梁６の幅方向に向けて配置されている。
【００６２】
外壁用アングル材５０の上面部５１において、上向き面部５２よりも建物１００の外周側には、複数の外壁パネル材４１が配置されている。各外壁パネル材４１は、板厚方向を基礎梁６の幅方向に向けて配置されている。
【００６３】
外壁パネル材４１の下端部は、ボルト等の締結部材（不図示）で外壁用アングル材５０の上向き面部５２に固定されている。外壁パネル材４１の上端部は、ボルト等の締結部材（不図示）で梁等の躯体（不図示）に固定されている。
【００６４】
図２に示すように、複数の外壁パネル材４１が、基礎梁６（図５参照）の延在方向に沿って隙間を有して隣接配置されている。隣接する外壁パネル材４１間の隙間には、シーリング材等の充填材２３が設けられている。これにより、外壁パネル材４１間の隙間から建物１００内部へ雨水等が浸入することが抑制されている。
【００６５】
図３に示すように、複数の床材パネル４２は、基礎梁６、連続基礎部８（図１参照。以下同じ。）、対向する連続基礎部８間に架け渡された鉄骨の小梁（不図示）等に支持されている。
【００６６】
次に、上記の下部構造体１の施工方法について説明する。
まず、第一基礎部構築工程及び第二基礎部構築工程等を行う。
予め、低基礎部４を設置する箇所、つまり建物１００の基礎（高基礎部３、低基礎部４、増し打ち部５及び連続基礎部８）で囲まれた範囲に向かって作業車Ｃが通過する箇所を決めておく。高基礎部３、低基礎部４、増し打ち部５及び連続基礎部８を構築する。本実施形態では、これらは鉄筋コンクリート造で一体として形成するため、型枠組み立て、コンクリート打設、養生、型枠ばらし等の手順で行う。この際に、低基礎部４の上面４ｕが、高基礎部３の上面３ｕよりも低くなるようにする。また、増し打ち部５の高さＨＡは、高基礎部３の高さＨ１よりも高くなるようにする。
【００６７】
次に、作業車進入作業工程を行う。
移動式クレーン車やトラック等の作業車Ｃを、低基礎部４上を通過させる。低基礎部４の高さＨ２は約０〜１００ｍｍであるため、作業車Ｃは低基礎部４上を容易に通過することができる。作業車を建物１００の高基礎部３、低基礎部４、増し打ち部５及び連続基礎部８等の基礎で囲まれた範囲（内部）に進入させて、建築部材の積み下ろしや建築部材の運搬等の所定の建築作業を行う。
【００６８】
次に、作業車退出工程を行う。
作業車Ｃを利用した建築作業完了後、作業車Ｃを低基礎部４上を通過させて、建物１００の基礎で囲まれた範囲の外側に退出させる。
【００６９】
次に、基礎梁構築工程を行う。
低基礎部４の上方に、基礎梁６を設置する。具体的には、基礎梁６に設けられた基礎梁用アングル材１５を、増し打ち部５に締結部材１８で固定する。
【００７０】
次に、パネル材設置工程を行う。
パネル材７を、基礎梁６に固定された上部アングル材３０及び下部アングル材３５に、締結部材７１で固定する。
【００７１】
次に、隣接するパネル材７間、パネル材７と増し打ち部５との間及びパネル材７と低基礎部４との間に、充填材２１を充填する。パネル材７の表面７ｆの下部に、充填材２２を充填する。そして、低基礎部４、高基礎部３、増し打ち部５及びパネル材７の表面に、保護用の塗料（不図示）で塗装して、下部構造体１が構築される。
【００７２】
このように構成された基礎構造１０及び基礎構造１０の施工方法では、低基礎部４の上面４ｕは高基礎部３の上面３ｕよりも低い。よって、低基礎部４の高さＨ２を地面Ｇと略同一の高さや地面Ｇよりも少し高い高さとして、作業車Ｃを低基礎部４上を通過させて基礎で囲まれた範囲に進入させることができる。
【００７３】
また、基礎で囲まれた範囲で作業車Ｃを利用して建築作業を行った後は、作業車Ｃを建物の基礎で囲まれた範囲外に退出させて、低基礎部４の上方に基礎梁６を設けて、パネル材を設置すれば建物１００を支持する基礎構造１０ができる。基礎梁６は乾式であるため、コンクリートを打設するような湿式と比較して工期を短縮することができる。
【００７４】
また、パネル材７が低基礎部４の上方で基礎梁６における建物１００の外周側に設置され、基礎梁６の露出が抑制される。パネル材７は、予め工場等で製造された乾式パネル部材なので、基礎梁６の露出を抑制したり保護したりするためのパネル材７を、施工現場において短期間で設置することができる。
【００７５】
また、パネル材７を基礎梁６に締結部材７１で固定すればよいため、パネル材７を短期間且つ容易に設置することができる。
【００７６】
また、基礎梁６は、低基礎部４の上方に隙間Ｓを有して配置されている。よって、低基礎部４の上面４ｕに不陸があったとしても、当該不陸の影響を受ける（低基礎部４の上面４ｕをモルタル等でレベル調整等する）ことなく基礎梁６を設置できるため、施工手間を削減することができる。
【００７７】
また、低基礎部４から立設して設けられた増し打ち部５の上面５ｕに、基礎梁６の端部を、基礎梁用アングル材１５を介して締結部材１８で固定すればよいため、基礎梁６を短期間且つ容易に設置することができる。
【００７８】
また、高基礎部３、低基礎部４及び増し打ち部５は鉄筋コンクリート造で一体として構成されている。よって、高基礎部３、低基礎部４及び増し打ち部５の配筋、型枠組み立て、コンクリート打設等の施工を同時にできるため、高基礎部３、低基礎部４及び増し打ち部５を別々に施工するよりも、施工手間が削減される。
【００７９】
また、上述した実施の形態において示した各構成部材の諸形状や組み合わせ等は一例であって、本発明の主旨から逸脱しない範囲において設計要求等に基づき種々変更可能である。
【００８０】
例えば、上記に示す実施形態では、低基礎部４は、隣り合う高基礎部３間の中央から偏心した（列Ｘ３側に寄った）位置に設置されているが、本発明はこれに限られない。低基礎部４の設置位置は適宜設定可能であり、建物１００の平面計画に応じて決定することが好ましい。
【００８１】
また、上記に示す実施形態では、パネル材７は基礎梁６に固定されているが、本発明はこれに限られない。例えば、パネル材７は、低基礎部４や外壁パネル材４１に、アングル材等を介して固定される構成であってもよい。
【００８２】
本実施形態では、基礎梁６は低基礎部４の上方に隙間Ｓを有して配置されているが、本発明はこれに限られない。例えば、低基礎部４に不陸があり、基礎梁６が部分的に低基礎部４上に当接する構成であってもよい。
【符号の説明】
【００８３】
１…下部構造体
２…上部構造体
３…高基礎部（第一基礎部）
４…低基礎部（第二基礎部）
５…増し打ち部（第一基礎部、立設基礎部）
６…基礎梁
７…パネル材
８…連続基礎部（第一基礎部）
１０…基礎構造
１１，１２…フランジ
１３…ウェブ  
１５…基礎梁用アングル材
３０…上部アングル材
３５…下部アングル材
４０…柱
４１…外壁パネル材
４２…床材パネル
５０…外壁用アングル材
１００…建物
Ｃ…作業車
Ｄ…道路
Ｓ…隙間
Ｔ…敷地
【図１】
2019132072.tif 000003
【図２】
2019132072.tif 000004
【図３】
2019132072.tif 000005
【図４】
2019132072.tif 000006
【図５】
2019132072.tif 000007